(57)【要約】【課題】周囲の状況が変化して、表示灯が見にくくなったとき、表示灯の視認性を高めるようにする。【解決手段】周囲の状況を検知する検知部１３と、複数のＬＥＤ光源１を駆動制御する制御部１１が設けられる。平常時、制御部１１は、複数のＬＥＤ光源１のうち一部だけ駆動する。火災等の異常が発生したことを状況検出器１４が検出すると、検知部１３は、状況検出器１４の出力に基づいて、平常時の状況とは異なる異常時になったことを検知する。異常時であることが検知されると、制御部１１は、異常時には平常時よりも明るくなるように、異常時に駆動するＬＥＤ光源１を平常時に駆動するＬＥＤ光源１よりも増やす。【選択図】図２
2010218928.tif 000002
【特許請求の範囲】
【請求項１】
ＬＥＤ光源を用いて、常時点灯される表示灯であって、周囲の状況を検知する検知部と、ＬＥＤ光源を駆動制御する制御部が設けられ、制御部は、平常時の状況とは異なる異常時になったことが検知されたとき、平常時より明るくなるようにＬＥＤ光源を駆動することを特徴とする表示灯。
【請求項２】
複数のＬＥＤ光源が用いられ、制御部は、異常時に駆動するＬＥＤ光源を平常時に駆動するＬＥＤ光源よりも増やすことを特徴とする請求項１記載の表示灯。
【請求項３】
制御部は、異常時にＬＥＤ光源を点滅させることを特徴とする請求項１または２記載の表示灯。
【発明の詳細な説明】
【技術分野】
【０００１】
本発明は、非常灯、誘導灯などの避難誘導用に使用可能な表示灯に関する。
【背景技術】
【０００２】
一般的に、非常灯、誘導灯などの表示灯の光源として、蛍光灯が使用されているが、省エネ、ＣＯ２削減の要求に対応するために、ＬＥＤを光源として用いられるようになってきている。
【０００３】
火災が発生したときに避難誘導するために、表示灯は常時点灯している。しかし、煙によって表示灯が見えにくくなることがあり、人を誘導する機能を発揮することができなくなる。
【０００４】
そこで、火災が発生した異常時に表示灯の視認性をよくするために、特許文献１では、ＬＥＤの発光色を変化させて、表示灯を視覚的に気付きやすくしている。特許文献２では、ＬＥＤの発光により表示灯が表示され、異常時には、表示灯の表示が拡大されるとともに、通常時には、ＬＥＤの光量を変えて、低輝度表示を可能としている。
【先行技術文献】
【特許文献】
【０００５】
【特許文献１】特開２００８−３３７５３号公報
【特許文献２】特開２００８−２５７３２０号公報
【発明の概要】
【発明が解決しようとする課題】
【０００６】
異常時にＬＥＤの発光色を変える場合、煙の色によっては十分に視認性がよくなるとは限らない。ところで、ＬＥＤの明るさは制御可能であるという特徴がある。本発明は、このような特徴を活かして、周囲の状況が変化しても、高い視認性が得られる表示灯の提供を目的とする。
【課題を解決するための手段】
【０００７】
本発明は、ＬＥＤ光源を用いて、常時点灯される表示灯であって、周囲の状況を検知する検知部と、ＬＥＤ光源を駆動制御する制御部が設けられたものである。制御部は、平常時の状況とは異なる異常時になったことが検知されたとき、平常時より明るくなるようにＬＥＤ光源を駆動する。
【０００８】
火災の発生、煙の発生といった異常時には、表示灯が見にくくなる。このとき、ＬＥＤ光源が平常時よりも明るく点灯する。したがって、周囲が見えにくい状況において、表示灯を容易に認識することができる。
【０００９】
複数のＬＥＤ光源が用いられ、制御部は、異常時に駆動するＬＥＤ光源を平常時に駆動するＬＥＤ光源よりも増やす。平常時には、ＬＥＤ光源は全て点灯せず、一部のＬＥＤ光源だけが点灯する。異常時になると、全てのＬＥＤ光源が点灯するので、表示灯は平常時よりも明るくなる。
【００１０】
また、制御部は、異常時にＬＥＤ光源を点滅させる。表示灯が明るくなるとともに、点滅することにより、周囲が見えにくい状況でも表示灯に気が付きやすくなる。
【発明の効果】
【００１１】
本発明によると、異常時に、表示灯が見えにくい状況になっても、ＬＥＤ光源が平常時よりも明るく点灯し、さらに点滅することにより、表示灯の視認性を高めることができる。これによって、火災などが発生した異常時に、人を避難誘導させるための表示灯の機能を確実に発揮させることができる。
【図面の簡単な説明】
【００１２】
【図１】本発明の表示灯の分解斜視図
【図２】表示灯の概略構成を示すブロック図
【発明を実施するための形態】
【００１３】
本実施形態の表示灯を図１に示す。この表示灯は、避難誘導用の誘導灯あるいは非常灯とされ、建物の壁あるいは天井に取り付けられる。表示灯は、２つのＬＥＤ光源１、導光板２、表示パネル３を有する。導光板２の一側にＬＥＤ光源１が設けられ、ＬＥＤ光源１は導光板２の側面に対向して配置される。導光板２の前方に、表示パネル３が配置される。ケース４にＬＥＤ光源１および導光板２が内装され、表示パネル３によってケース４の前面が塞がれる。
【００１４】
ＬＥＤ光源１の駆動により発せられた光は、導光板２に入射される。光は、導光板２内を進行しながら面全体に拡散され、前面に向かって反射される。導光板２の前面から出射された光が表示パネル３を後方から照らす。このように、バックライトによって、表示パネル３に形成されたパターンが明るく表示される。
【００１５】
ＬＥＤ光源１は、複数のＬＥＤを有する。複数のＬＥＤが基板に実装され、各ＬＥＤが一列に並べられる。２つのＬＥＤ光源１は、導光板２の一側に沿って左右に配置される。なお、２つのＬＥＤ光源１を導光板２の一側に沿って平行に並べて配置してもよい。また、導光板２の左右両側に、それぞれＬＥＤ光源１を配置してもよい。
【００１６】
あるいは、１つの基板に、複数のＬＥＤが一列に並べられ、奇数番目のＬＥＤを並列に接続して、１つのＬＥＤ光源１とし、偶数番目のＬＥＤを並列に接続して、他のＬＥＤ光源１とする。
【００１７】
図２に示すように、表示灯は、２つのＬＥＤ光源１を駆動する駆動部１０と、駆動部１０を通じてＬＥＤ光源１を駆動制御する制御部１１と、ＬＥＤ光源１に電力を供給する電源部１２とを備えている。これらは、制御基板に実装され、制御基板がケース４に内装される。
【００１８】
電源部１２は、商用電源の交流電圧を直流電圧に変換して、駆動部１０に直流電圧を出力する。なお、電源部１２は、２次電池等の補助電源を備えている。補助電源は、商用電源によって充電され、電源部１２は、停電等によって商用電源の供給が停止したときに補助電源に切り替える。
【００１９】
マイコンからなる制御部１１は、所定のデューティ比のパルス信号を駆動部１０に出力する。駆動部１０は、トランジスタを有し、ＬＥＤ光源１をパルス駆動する。パルス信号に基づいてトランジスタがオンオフすることによって、電源部１２からＬＥＤ光源１に供給される直流電流のオンまたはオフが切り替わる。制御部１１がパルス信号を出力し続けることにより、ＬＥＤ光源１は発光し、表示灯は常時点灯する。また、駆動部１０は、２つのＬＥＤ光源１をそれぞれ独立して駆動する。制御部１１からの指示により、駆動部１０は、いずれか一方のＬＥＤ光源１の駆動と、両方のＬＥＤ光源１の駆動とを切り替える。
【００２０】
そして、表示灯は、周囲の状況を検知する検知部１３を備えている。制御部１１は、平常時の状況とは異なる異常時になったことが検知されたとき、視認性を上げるために、平常時より明るくなるようにＬＥＤ光源１を駆動する。
【００２１】
検知部１３は、火災やガス漏れが発生した状況を検知する。何も発生していない状況が平常時とされ、火災、ガス漏れ、煙、粉塵などが発生した状況が異常時とされる。ここで、異常時を検出するために、火災報知器、温度センサ、ガス検出器、埃センサといった状況検出器１４が建物の内外に設けられている。この状況検出器１４は、表示灯にネットワークを介して通信可能に接続される。検知部１３は、ネットワークを通じて状況検出器１４と有線あるいは無線により通信する機能を有している。
【００２２】
状況検出器１４は、火災等が発生した異常時に、検出信号を出力する。検知部１３は、状況検出器１４からの検出信号に基づいて、周囲の状況を判断する。平常時の場合には、検出信号が出力されないので、検知部１３は異常を検知しない。異常時になると、検知部１３は、検出信号を受信し、異常が発生したことを検知する。
【００２３】
制御部１１は、検知部１３により異常時になったことが検知されたとき、ＬＥＤ光源１を駆動制御して、異常時に駆動するＬＥＤ光源１を平常時に駆動するＬＥＤ光源１よりも増やす。すなわち、制御部１１は、平常時には、１つのＬＥＤ光源１を駆動するように、駆動部１０を動作させる。異常時になると、制御部１１は、２つのＬＥＤ光源１を駆動するように、駆動部１０を動作させる。２つのＬＥＤ光源１が点灯して、１つのＬＥＤ光源１が点灯するときよりも表示灯は明るくなる。
【００２４】
このように、異常時には、表示灯が見にくくなるが、バックライトの明るさが増すことにより、表示パネル３のパターンを遠くからでもはっきり視認できるようになる。したがって、異常時に、表示灯の付近にいる人を安全に避難誘導させることができる。
【００２５】
上記の実施形態では、複数のＬＥＤ光源１が用いられているが、ＬＥＤ光源１が１つであってもよい。この場合、異常時になったとき、制御部１１は、パルス信号のデューティ比を上げて、駆動部１０に出力する。これにより、ＬＥＤ光源１は平常時よりも明るく点灯する。
【００２６】
また、ＬＥＤ光源１の駆動方法として、上記のパルス駆動以外に、一定の電流を連続的にＬＥＤ光源１に供給する直流駆動がある。直流駆動が行われている場合、制御部１１は、ＬＥＤ光源１に出力される直流電流が高くなるように駆動部１０を制御する。異常時において、ＬＥＤ光源１は平常時よりも明るく点灯する。
【００２７】
さらにまた、異常時にＬＥＤ光源１を点滅させてもよい。異常時が検知されたとき、制御部１１は、上記のいずれかの方法によってＬＥＤ光源１が明るくなるように駆動制御するとともに、ＬＥＤ光源１を点滅させる。このように、点滅動作が加わることにより、人は表示灯に気付きやすくなり、出入口の位置を容易に見つけることができる。
【００２８】
なお、本発明は、上記実施形態に限定されるものではなく、本発明の範囲内で上記実施形態に多くの修正および変更を加え得ることは勿論である。ＬＥＤ光源は３つ以上としてもよい。この場合、制御部は、平常時には、１つあるいは２つのＬＥＤ光源を駆動し、異常時には、３つのＬＥＤ光源を駆動する。平常時において、例えば昼と夜、あるいは照明装置の点灯の有無によって、表示灯の周囲の状況が異なる。検知部は、周囲の明るさを検知する。制御部は、周囲が明るいとき、２つのＬＥＤ光源を駆動する。周囲に比べて明るくなるので、表示灯を目立たせることができる。周囲が暗いとき、１つのＬＥＤ光源を駆動する。周囲が暗いので、十分に表示灯を認識できる。これにより、周囲に応じて適切に点灯を行え、表示灯の消費電力を低減できる。
【００２９】
また、平常時に、１つのＬＥＤ光源が駆動されているとき、周囲の状況に応じてＬＥＤ光源の明るさを調整してもよい。制御部は、周囲が明るいとき、ＬＥＤ光源の輝度が上がるように駆動部を制御し、周囲が暗いとき、ＬＥＤ光源の輝度が下がるように駆動部を制御する。
【００３０】
複数のＬＥＤを一列に並べて、ＬＥＤ光源とした場合、駆動部は、個々のＬＥＤを駆動する。制御部は、周囲の状況に応じて、駆動するＬＥＤの数を決める。発光するＬＥＤの密度が変わることにより、表示灯の明るさが変化する。すなわち、異常時には、全てのＬＥＤが駆動される。平常時には、半数のＬＥＤが駆動される。このとき、１つおきにＬＥＤが駆動される。また、平常時に、周囲の明るさに応じて駆動するＬＥＤを増減する。明るいときには、駆動するＬＥＤが増やされ、暗いときには、駆動するＬＥＤが減らされる。
【００３１】
表示灯に、状況検出器を設けてもよい。すなわち、検知部が状況検出器となり、制御部に直接、検出信号が出力される。制御部は、検出信号に基づいて、周囲の状況を判断する。
【００３２】
また、ＬＥＤ光源を利用して、光信号を受信可能な通信端末にデータ送信を行ってもよい。制御部は、異常時になったとき、ＬＥＤ光源の発光量あるいは点滅を制御して、発生した異常に関する情報を送信する。ＬＥＤ光源から光信号が出力される。表示灯の周囲にいる人は、携帯電話等の通信端末を所持しており、通信端末は、ＬＥＤ光源からの光信号を受信する。そして、通信端末は、受信した情報に基づいて、異常時の状況を音声あるいは表示によって報知する。これにより、どのような異常が発生しているかを知らせることができ、人に安全な行動を取らせることができる。
【符号の説明】
【００３３】
１    ＬＥＤ光源
２    導光板
３    表示パネル
４    ケース
１０    駆動部
１１    制御部
１２    電源部
１３    検知部
１４    状況検出器
【図１】
2010218928.tif 000003
【図２】
2010218928.tif 000004